(57)【要約】【課題】ガスバーナーを熱源として乾燥風を生成する際に、温度ムラが少なく、均一な温度乾燥風を乾燥ドラム内に供給することができるガス乾燥機を提供する。【解決手段】本発明のガス乾燥機１は、乾燥機本体２と、乾燥外胴体３と、乾燥ドラム４と、乾燥風を生成する乾燥風生成部５と、乾燥風を循環させる乾燥風循環部６と、を備えている。乾燥風生成部５は、外気が取り込まれる外気取入口２５が形成された外気取入室２１と、一側が外気取入室２１と連通し他側が乾燥外胴体３と連通し乾燥風を乾燥外胴体３内に供給する乾燥風供給口３５が設けられた外筒２２と、外筒２２内に配置されて外気取入室２１側から乾燥風供給口３５側に向けて火炎を放射するガスバーナー２３と、ガスバーナー２３の火炎を包みこむように外気取入室２１側の基端部から乾燥風供給口３５側の熱風吐出口４０まで長尺状に形成され外筒２２の内壁との間に加熱通路部４１を形成する内筒２４とで形成されている。【選択図】  図４
2020075014.tif 000002
【特許請求の範囲】
【請求項１】
乾燥機本体と、
乾燥機本体内に固定された乾燥外胴体と、
乾燥外胴体内に回転自在に配置されて被乾燥物が投入される乾燥ドラムと、
前記乾燥外胴体内に供給される乾燥風を生成する乾燥風生成部と、
乾燥風生成部で生成された乾燥風を前記乾燥外胴体内に供給するとともに乾燥外胴体内から導出された乾燥風を前記乾燥風生成部に循環させる乾燥風循環部と、を備えたガス乾燥機であって、
前記乾燥風生成部は、
循環される乾燥風の一部が取り込まれるとともに外気が取り込まれる外気取入口が形成された外気取入室と、
一側が前記外気取入室と連通し他側が前記乾燥外胴体と連通し乾燥風を前記乾燥外胴体内に供給する乾燥風供給口が設けられた外筒と、
前記外筒内に配置されて前記外気取入室側から前記乾燥風供給口側に向けて火炎を放射するガスバーナーと、
前記ガスバーナーの前記火炎を包みこむように前記外気取入室側の基端部から前記乾燥風供給口側の熱風吐出口まで長尺状に形成され前記外筒の内壁との間に加熱通路部を形成する内筒とで形成されていることを特徴とするガス乾燥機。
【請求項２】
前記外気取入室には、前記外気取入口からの外気の取り込み量を調節可能な外気取込ダンパーが設けられていることを特徴とする請求項１に記載のガス乾燥機。
【請求項３】
前記乾燥風循環部は、
前記乾燥外胴体内から前記被乾燥物を乾燥させた後の導出乾燥風を導出させるブロワーと、
前記ブロワーによって前記乾燥外胴体内から導出された導出乾燥風が排出される排出口と循環風取入口と連通する循環口とが設けられた排気循環ダクトと、
前記排出口から排出される導出乾燥風の量と前記循環口から前記外気取入室内に循環される導出乾燥風の量とを調節可能な排気循環ダンパーとで形成されていることを特徴とする請求項１又は請求項２に記載のガス乾燥機。
【請求項４】
前記乾燥機本体は、被乾燥物を内部に投入するとともに取り出す投入取出口が設けられた前面部と、側部を閉塞する側面部と、上面側を閉塞する天板部とで形成され、
前記天板部に、前記乾燥風循環部と、この乾燥風循環部に隣設して乾燥風生成部とが形成されていることを特徴とする請求項１乃至請求項３のいずれか一項に記載のガス乾燥機。
【発明の詳細な説明】
【技術分野】
【０００１】
本発明は、シーツ、枕カバー、タオル等のリネン製品やモップ、マット等の洗濯後の被乾燥物を、ガスバーナーを用いた乾燥風により乾燥させるガス乾燥機に関する。
【背景技術】
【０００２】
シーツ、枕カバー、タオル等のリネン製品やモップ、マット等の洗濯後の被乾燥物を乾燥させる乾燥機は、乾燥機本体内に固定された乾燥外胴体に乾燥ドラムが回転自在に支持され、乾燥外胴体内に乾燥風を供給することで乾燥ドラム内の被乾燥物を乾燥させている。
【０００３】
乾燥外胴体内に供給される乾燥風としてＰＴＣヒータ等の電気を用いたヒータの熱源で外気を温めて生成されるものが、特許文献１で開示されている。
【０００４】
ところが、一般家庭では長時間にわたり乾燥機を使用することはないが、上記したリネン製品やモップ、マット等を洗濯・乾燥させるリネンサプライ業者のリネン工場では、連続して長時間にわたりリネン品を乾燥させる。このため、電気を用いた上記ＰＴＣヒータ等の熱源では、電気の使用量が多くなり、被洗物を乾燥させるための乾燥コストが高くつく。
【０００５】
そこで、特許文献２では、ガスバーナーを用いて外気を暖めて乾燥風を生成し、この乾燥風により被洗物を乾燥させるガス乾燥機が提案されている。このガス乾燥機は、重油等の燃料を用いているので、連続して長時間にわたり乾燥風を生成しても乾燥風の生成のためのコストが電気を用いたヒータに比較して安く、設備も簡単でコストが安い。また、高温の蒸気を用いて外気を加熱し乾燥風を形成するスチームヒータと比較しても外気温を加熱する場合、昇温速度が早く、乾燥風を高温にすることができる。
【先行技術文献】
【特許文献】
【０００６】
【特許文献１】特開平１１−４９９９号公報
【特許文献２】特開２０１０−２１３９７３号公報
【発明の概要】
【発明が解決しようとする課題】
【０００７】
しかしながら、ガスバーナーで外気を加熱する場合、ガスバーナーの火炎近傍では外気が急速に高温になり、火炎から離れた位置では外気の温度は高温になるまで時間がかかる。このため、乾燥外胴体内に供給する乾燥風に温度ムラが生じる。この結果、乾燥ドラム内の被乾燥物に均一な温度の乾燥風を当てることができないので、乾燥効率が低下するという問題を有している。
【０００８】
そこで、本発明は、ガスバーナーを熱源として乾燥風を生成する際に、乾燥風の温度ムラが少なく、均一な温度の乾燥風を乾燥ドラム内に供給することができるガス乾燥機の提供を目的とする。
【課題を解決するための手段】
【０００９】
上記課題を解決するための本発明の一態様は、乾燥機本体と、乾燥機本体内に固定された乾燥外胴体と、乾燥外胴体内に回転自在に配置されて被乾燥物が投入される乾燥ドラムと、前記乾燥外胴体内に供給される乾燥風を生成する乾燥風生成部と、乾燥風生成部で生成された乾燥風を前記乾燥外胴体内に供給するとともに乾燥外胴体内から導出された乾燥風を前記乾燥風生成部に循環させる乾燥風循環部と、を備えたガス乾燥機であって、前記乾燥風生成部は、循環される乾燥風の一部が取り込まれるとともに外気が取り込まれる外気取入口とが形成された外気取入室と、一側が前記外気取入室と連通し他側が前記乾燥外胴体と連通し乾燥風を前記乾燥外胴体内に供給する乾燥風供給口が設けられた外筒と、前記外筒内に配置されて前記外気取入室側から前記乾燥風供給口側に向けて火炎を放射するガスバーナーと、前記ガスバーナーの前記火炎を包みこむように前記外気取入室側の基端部から前記乾燥風供給口側の熱風吐出口まで長尺状に形成され前記外筒の内壁との間に加熱通路部を形成する内筒とで形成されていることを特徴とする。
【００１０】
また、本発明の一態様は、前記外気取入室には、前記外気取入口からの外気の取り込み量を調節可能な外気取込ダンパーが設けられていることを特徴とする。
【００１１】
また、本発明の一態様は、前記乾燥風循環部は、前記乾燥外胴体内から前記被乾燥物を乾燥させた後の導出乾燥風を導出させるブロワーと、前記ブロワーによって前記乾燥外胴体内から導出された前記導出乾燥風が排出される排出口と循環風取入口と連通する循環口とが設けられた排気循環ダクトと、前記排出口から排出される導出乾燥風の量と前記循環口から前記外気取入室内に循環される導出乾燥風の量とを調節可能な排気循環ダンパーとで形成されていることを特徴とする。
【００１２】
また、本発明の一態様は、前記乾燥機本体は、前記被乾燥物を内部に投入するとともに取り出す投入取出口が設けられた前面部と、側部を閉塞する側面部と、上面側を閉塞する天板部とで形成され、前記天板部に、前記乾燥風循環部と、この乾燥風循環部に隣設して前記乾燥風生成部とが形成されていることを特徴とするガス乾燥機。
【発明の効果】
【００１３】
本発明によれば、ガスバーナーの火炎を包み込むように長尺に形成された内筒の周囲を外気と循環された乾燥風とが混ざり合いながら乾燥風供給口側まで旋回して乾燥風を生成するので、温度ムラが少なく、均一な温度の乾燥風を乾燥ドラム内に供給することができる。
【図面の簡単な説明】
【００１４】
【図１】本発明の実施の形態に係るガス乾燥機の全体を示す斜視図。
【図２】本発明の実施の形態に係るガス乾燥機の内部を示す概略図。
【図３】本発明の実施の形態に係るガス乾燥機の上部を示す上面図。
【図４】本発明の実施の形態に係るガス乾燥機の乾燥風生成部の概略を示す概略透視斜視図。
【図５】本発明の実施の形態に係るガス乾燥機の空気取入室内の空気の流れを説明する説明図。
【発明を実施するための形態】
【００１５】
以下、本発明に係るガス乾燥機の実施の形態について詳細に説明する。本発明に係るガス乾燥機は、シーツ、枕カバー、タオル等のリネン製品やモップ、マット等の洗濯後の被乾燥物を、ガスバーナーを用いた乾燥風により乾燥させる。
【００１６】
［ガス乾燥機の全体構成と実施例の特徴］
本実施の形態のガス乾燥機１は、乾燥機本体２と、乾燥機本体２内に固定された乾燥外胴体３と、乾燥外胴体３内に回転自在に配置されて被乾燥物が投入される乾燥ドラム４と、乾燥外胴体３内に供給される乾燥風を生成する乾燥風生成部５と、乾燥風生成部５で生成された乾燥風を乾燥外胴体３内に供給するとともに乾燥外胴体３内から導出された乾燥風を乾燥風生成部５に循環させる乾燥風循環６部と、を備えている。
【００１７】
［乾燥機本体］
乾燥機本体２は、図１に示すように前面部７と、背面部８と、側面９、９と、天板１０と、底面１１とで箱形形状に形成されている。前面部７には、被乾燥物を内部に投入するとともに、乾燥後の被乾燥物を取り出す投入取出口１２が設けられている。この投入取出口１２は、前面部７に上下動可能に設けられた開閉扉１３によって開閉される。開閉扉１３には、２つの円形確認窓１４が設けられている。また、乾燥機本体２は、底面１１の四隅を支持する４本の脚部１５、１５、１５、１５により床１６上に設置される。この乾燥機本体２内には、投入取出口１２から被乾燥物が乾燥外胴体３の内部に投入される。
【００１８】
［乾燥外胴体］
乾燥外胴体３は、乾燥機本体２の内壁に固定されている。乾燥外胴体３は、筒状で、軸方向の一方に乾燥機本体２の投入取出口１２と連通する開口が形成されている。開閉扉１３により投入取出口１２を閉塞した状態では乾燥外胴体３内は密封状態となっている。また、乾燥外胴体３の上部一側に乾燥風導入口１７が設けられ、上部他側に乾燥風導出口１８が設けられている。この乾燥外胴体３の内部に、乾燥ドラム４が回転自在に配置されている。
【００１９】
［乾燥ドラム］
乾燥ドラム４は、筒状で外周面（側面）全体に小径の穴が、パンチング等により形成されている。また、軸方向の一方は乾燥機本体２の投入取出口１２と連通している。また、乾燥ドラム４は、駆動ローラ１９、１９で乾燥外胴体３内に回転自在に支持されている。駆動ローラ１９、１９には、乾燥機本体２の下部に支持された駆動モータ２０の回転駆動力が図示しない伝達手段によって伝達される。この乾燥ドラム４は、回転しながら乾燥風生成部５により生成され乾燥外胴体３内に供給された乾燥風により被乾燥物を乾燥させる。
【００２０】
［乾燥風生成部］
乾燥風生成部５は、図１及び図２に示すように、乾燥機本体２の天板１０上に載置され、天板１０の上下方向の投影面内に設置されている。図４に示すように、乾燥風生成部５は、外気取入室２１と、一側が外気取入室２１と連通する外筒２２と、外筒２２内に火炎を放射するガスバーナー２３と、外筒２２内に設けられてガスバーナー２３の火炎を包み込む内筒２４とで形成されている。
【００２１】
外気取入室２１は箱形形状で外気取入口２５が外周面に形成されている。外気取入口２５は、外気取入室２１の側面２６ａに設けられた第１取入口２７と、外気取入室２１の天板２６ｂに設けられた第２取入口２８とで形成されている。第１、第２取入口２７、２８には、それぞれ第１、第２取入口２７、２８を開閉可能な外気取込ダンパである第１ダンパ２９、第２ダンパ３０がそれぞれ設けられている。これらの第１、第２ダンパ２９、３０は、第１、第２取入口２７、２８の開口縁部に回動可能にそれぞれ支持されており、図示しない駆動手段によって回動自在となっている。これらの第１、第２ダンパ２９、３０の回動角度によって第１、第２取入口２７、２８の開口面積が変化し、外気取入室２１内への外気の取り込み量を調整することができる。
【００２２】
また、第１ダンパ２９は、図５に示すように、第１取入口２７から外気取入室２１に取り込まれた外気を外気取入室２１内の下部側に導き、第２ダンパ３０は、第２取入口２８から外気取入室２１に取り込まれた外気を第１取入口２７から取り込まれた外気側に導く。これにより、第１、第２取入口２７、２８から取り込まれた外気は、外気取入室２１内で旋回しながら、外気取入室２１内から後述する外気流通口３２を通って外筒２２内へ流れる。
【００２３】
外気取入室２１は、前面３１側で外筒２２の一側と外気流通口３２によって連通されている。また、外気取入室２１には、乾燥風循環部６によって循環される乾燥風の一部が流入する循環風取入口４４の一部が設けられている。この循環風取入口４４の他部は、外筒２２に設けられている。すなわち、循環風取入口４４は、外気取入室２１と外筒２２に向けて開口している。
【００２４】
外筒２２は、半筒状の外周壁３３と、平板状の底壁３４とで長尺な形状に形成されている。一側、すなわち外気取入室２１側には上記外気流通口３２が形成され、他側には底壁３４に乾燥風供給口３５が設けられている。乾燥風供給口３５からは、生成された乾燥風が乾燥外胴体３内に供給される。この外筒２２の一側には、空気取入室２１を貫通して設けられたガスバーナー２３の火炎吐出口３６が開口している。
【００２５】
ガスバーナー２３は、図３に示すように、外気取入室２１の背面３７側に設けた火炎発生部３８と、この火炎発生部３８で発生した火炎を空気取入室２１を貫通して外筒２２内に導く火炎ノズル３９とで形成されている。火炎ノズル３９の先端側が火炎吐出口３６となっている。そして、火炎発生部３８によって発生させた火炎を火炎ノズル３９の火炎吐出口３６から外筒２２の乾燥風供給口３５側に向けて放射する。外筒２２内に放射された火炎は、外筒２２内の中心部に設けられた内筒２４によって包み込まれた状態で放射される。
【００２６】
内筒２４は、筒状で火炎ノズル３９の火炎吐出口３６から放射されたガスバーナー２３の火炎を包みこむように外気取入室２１側の基端部から乾燥風供給口３５側まで長尺状に形成されている。また、内筒２４の乾燥風供給口３５側の開口が、火炎によって高温となった熱風が吐出する熱風吐出口４０となっている。また、内筒２４の外壁は、外筒２２の内壁との間に加熱通路部４１を形成している。
【００２７】
そして、図５に示すように、第１取入口２７から外気取入室２１内に流入した外気は、外気取入室２１内で旋回した状態で、外気流通口３２から内筒２４の下部側に流れ、第２取入口２８から外気取入室２１に流入した外気は、外気流通口３２から内筒２４の上部側に流れる。内筒２４の下部側と上部側に流れる外気は、乾燥風循環部６によって循環される乾燥風と外筒２２内で加熱通路部４１を旋回した状態で通過することにより混ぜ合わされ、加熱される。すなわち、外気取入室２１内に取り入れられた外気と循環された乾燥風は、内筒２４の回りを竜巻（トルネード）のように旋回しながら乾燥風供給口３５側に流れる。
【００２８】
［乾燥風循環部］
乾燥風循環部６は、乾燥外胴体３内で被乾燥物を乾燥させた後の乾燥風を乾燥外胴体３内から導出させる２つのブロワー４２、４２と、ブロワー４２、４２によって乾燥外胴体３内から導出された乾燥風が排出される排出口４３及び循環風取入口４４と連通する循環口４５とが設けられた排気循環ダクト４６と、排出口４３から排出される乾燥風の量と循環口４５から外気取入室２１、外筒２２内に循環される乾燥風の量とを調節可能な排気循環ダンパー４７とで形成されている。
【００２９】
排気循環ダクト４６は、図３に示すように、乾燥風生成部５の外筒２２に隣接して配置されている。排気循環ダクト４６には、外筒２２と外気取入室２１に跨がって開口し、循環される乾燥風が外筒２２と外気取入室２１内に取り入れられる循環口４５が設けられている。この循環口４５は循環風取入口４４と連通している。循環口４５の開口縁部には、排気循環ダンパー４７が回動可能に設けられている。この排気循環ダンパー４７の回動位置によって、外筒２２、外気取入室２１内へ循環される乾燥風の量が調節される。
【００３０】
排気循環ダクト４６を挟んで外筒２２の反対側に、２つのブロワー４２、４２が設けられている。これらのブロワー４２、４２は、乾燥外胴体３の乾燥風導出口１８から、乾燥外胴体３内で被乾燥物を乾燥させた後の乾燥風を排気循環ダクト４６内に導出させる。また、乾燥外胴体３内で被乾燥物を乾燥させた後の乾燥風を乾燥外胴体３内から導出させることで、乾燥風生成部５から温度調節された乾燥風が乾燥風導入口１７を通って乾燥外胴体３内に供給される。これにより、乾燥風生成部５によって生成された乾燥風が、乾燥外胴体３、排気循環ダクト４６、外筒２２を循環する。
【００３１】
次に、ガス乾燥機１の動作について説明する。最初にブロワー４２、４２を稼動させるとともに、ガスバーナー２３を作動させて所定の温度の乾燥風を生成し、乾燥風を乾燥外胴体３内から導出させることで循環させる。乾燥風が所定の温度に達したら、開閉扉１３を開けて投入取出口１２を開放した状態で被乾燥物を乾燥ドラム４内に所定量投入する。このとき乾燥ドラム４は回転せずに停止している。被乾燥物を乾燥ドラム４内に投入し、開閉扉１３によって投入取出口１２を閉塞した後に、回転ドラム４を所定の回転数で回転駆動させる。被乾燥物の乾燥度合いによって、排気循環ダンパー４７、第１、第２ダンパ２９、３０の回動角度を調節し、外気の取り込み量、循環する乾燥風の循環量を変化させて乾燥風の温度を調節する。
【００３２】
乾燥風生成部５で乾燥風を生成するには、ブロワー４２、４２を駆動して乾燥風を循環させた状態でガスバーナーを点火し、循環する乾燥風と外気とを混合し、加熱する。ブロワー４２、４２を駆動して乾燥風を循環させると、第１、第２取入口２７、２８から外気が外気取入室２１内に流入する。
【００３３】
この場合、第１取入口２７から流入した外気は、第１ダンパ２９に導かれて外気流通口３２から内筒２４の下部側に回り込み、第２取入口２８から流入した外気は、第２ダンパ３０に導かれて外気流通口から内筒２４の上部側に流れる。循環風取入口４４ら外気取入室２１と外筒２２内に流入する乾燥風は内筒２４の周囲に流れ、外気と混ざり合う。循環する乾燥風と外気とが混ざり合った空気は、内筒２４の周囲を旋回しながら乾燥風供給口３５側へ移動する。循環する乾燥風と外気とが混ざり合った空気が内筒２４の周囲の加熱通路部４１を旋回することで乾燥風と外気とがより混ざり合うとともに加熱され均一な温度の乾燥風となる。
【００３４】
内筒２４の周囲を旋回しながら乾燥風供給口３５側に移動し、均一な温度分布となった空気は、内筒２４の熱風吐出口４０からの熱風によってさらに加熱されて所定の温度となり、乾燥風供給口４０から乾燥外胴体３内へ乾燥風導入口１７を通って供給される。乾燥外胴体３内に供給された所定の温度の乾燥風は、回転ドラム４内の被乾燥物を乾燥させた後に、乾燥風導出口１８から排気循環ダクト４６へと排出される。そして、乾燥風生成部５で再び外気と混ぜ合わされて所定の温度の乾燥風が生成される。
【００３５】
以上説明したように、本実施の形態のガス乾燥機１によれば、ガスバーナー２３の火炎を包み込むように長尺に形成された内筒２４の周囲を外気と循環された乾燥風とが混ざり合いながら乾燥風供給口３５側まで旋回して乾燥風を生成するので、温度ムラが少なく、均一な温度の乾燥風を乾燥ドラム４内に供給することができる。
【００３６】
また、本実施の形態のガス乾燥機１によれば、内筒２４が乾燥風供給口３５まで長尺に形成されているので、図４に示すように、内筒２４の周囲を旋回しながら混ざり合った空気が内筒２４の熱風吐出口４０でさらに加熱される。これにより、温度ムラが少なく均一な温度の乾燥風を所定の温度に調節することができる。
【００３７】
また、本実施の形態のガス乾燥機１によれば、温度ムラが少なく、均一な温度の乾燥風を生成するために従来必要であった混合のための長尺のダクトが不要になるので、乾燥風生成部５をコンパクトにすることができる。これにより、乾燥風生成部５を乾燥機本体２の天板１０上に設置することができる。乾燥風生成部５を乾燥機本体２の天板１０上に設置することができるため、複数台のガス乾燥機１を併設する場合には、近接して複数のガス乾燥機１を設置することができる。これにより、複数台のガス乾燥機の設置スペースを小さくすることができる。
【００３８】
上述の通り、本発明の実施の形態を開示したが、当業者によっては本発明の範囲を逸脱することなく変更が加えられうることは明白である。すべてのこのような修正及び等価物が次の請求項に含まれることが意図されている。
【産業上の利用可能性】
【００３９】
本発明に係るガス乾燥機は、シーツ、枕カバー、タオル等のリネン製品やモップ、マット等の洗濯後の被乾燥物以外に、衣類その他の乾燥にも利用可能である。
【符号の説明】
【００４０】
１  ガス乾燥機
２  乾燥機本体
３  乾燥外胴体
４  乾燥ドラム
５  乾燥風生成部
６  乾燥風循環部
２１  外気取入室
２２  外筒
２３  ガスバーナー
２４  内筒
２５  外気取入口
４１  加熱通路部
【図１】
2020075014.tif 000003
【図２】
2020075014.tif 000004
【図３】
2020075014.tif 000005
【図４】
2020075014.tif 000006
【図５】
2020075014.tif 000007